【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
第１の端末装置の現在位置及びその位置属性情報を取得する現在位置取得手段と、表示手段と、前記第１の端末装置の現在位置を表示する地図画像を前記表示手段に表示させる表示制御手段と、制御手段と、を備える前記第１の端末装置と、
地図データベースと、前記第１の端末装置と該第１の端末装置に関連付けられた少なくとも一つの第２の端末装置のそれぞれの現在位置及び位置属性情報を格納する表示対象位置データベースと、前記第１の端末装置に関連付けられた少なくとも一つの前記第２の端末装置の現在位置及び位置属性情報を前記表示対象位置データベースから取得する端末位置取得手段と、制御手段と、を備えるサーバと、を備えて構成される情報表示システムであって、
前記第１の端末装置の制御手段が、現在位置を含む現在位置表示要求を前記サーバに送信すると、前記サーバの前記端末位置取得手段が、前記第２の端末装置の現在位置と位置属性情報を前記表示対象位置データベースから取得し、前記サーバの制御手段が、取得した前記第２の端末装置の現在位置及び位置属性情報と、前記第１及び第２の端末装置の現在位置を含む領域の地図画像を前記地図データベースから取得して前記第１の端末装置に送信し、前記第１の端末装置の前記表示制御手段は、前記第１の端末装置の現在位置と、前記第２の端末装置の現在位置を、前記位置属性情報に応じて異なる態様で前記地図画像上に表示させることを特徴とする情報表示システム。
【請求項２】
前記表示制御手段は、前記第１の端末装置の現在位置と、前記第２の端末装置の現在位置を、前記位置属性情報に応じて透過率を変更した又は色合いを異ならせたアイコンとして表示させることを特徴とする請求項１に記載の情報表示システム。
【請求項３】
前記表示制御手段は、前記第１の端末装置の現在位置と、前記第２の端末装置の現在位置を、前記位置属性情報に応じて形状の異なるアイコンとして表示させることを特徴とする請求項１に記載の情報表示システム。
【請求項４】
前記表示制御手段は、前記第１の端末装置の現在位置と、前記第２の端末装置の現在位置を、前記位置属性情報とともに表示させることを特徴とする請求項１〜３の何れか１項に記載の情報表示システム。
【請求項５】
前記地図データベースは、前記位置属性情報に対応した地図画像を備えており、前記サーバの制御手段は、前記地図データベースから前記第１の端末装置の位置属性情報に応じた地図画像を取得して前記第１の端末装置に送信し、前記第１の端末装置の前記表示制御手段は、前記第１の端末装置の位置属性情報に応じた地図画像を前記表示手段に表示させ、前記第１の端末装置において前記表示手段に表示されている複数の前記第２の端末装置のいずれかに対応する地図画像の要求があった場合には、前記サーバの制御手段は、前記第２の端末装置の位置属性情報に対応する地図画像を前記地図データベースから取得して前記第１の端末装置に送信し、前記第１の端末装置の前記表示制御手段は、前記第２の端末装置の位置属性情報に応じた地図画像を前記表示手段に表示させることを特徴とする請求項１〜４の何れか１項に記載の情報表示システム。
【請求項６】
前記サーバは、前記第１の端末装置及び前記第２の端末装置が取得してリアルタイムに送信する現在位置及び位置属性情報を受信して前記表示対象位置データベースに記憶することを特徴とする請求項１に記載の情報表示システム。
【請求項７】
第１の端末装置の現在位置及びその位置属性情報を取得する現在位置取得手段と、表示手段と、前記第１の端末装置の現在位置を表示する地図画像を前記表示手段に表示させる表示制御手段と、制御手段と、を備える前記第１の端末装置と、前記第１の端末装置に関連付けられた少なくとも一つの第２の端末装置と、サーバと、を備えて構成される情報表示システムを構成する前記サーバであって、
前記サーバは、地図データベースと、前記第１の端末装置と該第１の端末装置に関連付けられた少なくとも一つの前記第２の端末装置のそれぞれの現在位置及び位置属性情報を格納する表示対象位置データベースと、前記第２の端末装置の現在位置及び位置属性情報を前記表示対象位置データベースから取得する端末位置取得手段と、制御手段と、を備え、
前記第１の端末装置の制御手段が、現在位置を含む現在位置表示要求を前記サーバに送信すると、前記サーバの前記端末位置取得手段が、前記第２の端末装置の現在位置と位置属性情報を前記表示対象位置データベースから取得し、前記サーバの制御手段が、取得した前記第２の端末装置の現在位置及び位置属性情報と、前記第１及び第２の端末装置の現在位置を含む領域の地図画像を前記地図データベースから取得して前記第１の端末装置に送信し、前記第１の端末装置の前記表示制御手段は、前記第１の端末装置の現在位置と、前記第２の端末装置の現在位置を、前記位置属性情報に応じて異なる態様で前記地図画像上に表示させることを特徴とするサーバ。
【請求項８】
前記地図データベースは、前記位置属性情報に対応した地図画像を備えており、前記サーバの制御手段は、前記地図データベースから前記第１の端末装置の位置属性情報に応じた地図画像を取得して前記第１の端末装置に送信し、前記第１の端末装置の前記表示制御手段は、前記第１の端末装置の位置属性情報に応じた地図画像を前記表示手段に表示させ、前記第１の端末装置において前記表示手段に表示されている複数の前記第２の端末装置のいずれかに対応する地図画像の要求があった場合には、前記サーバの制御手段は、前記第２の端末装置の位置属性情報に対応する地図画像を前記地図データベースから取得して前記第１の端末装置に送信し、前記第１の端末装置の前記表示制御手段は、前記第２の端末装置の位置属性情報に応じた地図画像を前記表示手段に表示させることを特徴とする請求項７に記載のサーバ。
【請求項９】
前記サーバは、前記第１の端末装置及び前記第２の端末装置が取得してリアルタイムに送信する現在位置及び位置属性情報を受信して前記表示対象位置データベースに記憶することを特徴とする請求項７に記載のサーバ。
【請求項１０】
第１の端末装置と、前記第１の端末装置に関連付けられた少なくとも一つの第２の端末装置と、地図データベースと、前記第１の端末装置と該第１の端末装置に関連付けられた少なくとも一つの前記第２の端末装置のそれぞれの現在位置及び位置属性情報を格納する表示対象位置データベースと、前記第１の端末装置に関連付けられた少なくとも一つの前記第２の端末装置の現在位置及び位置属性情報を前記表示対象位置データベースから取得する端末位置取得手段と制御手段とを備えるサーバと、を備えて構成される情報表示システムを構成する端末装置であって、
前記第１の端末装置は、現在位置及びその位置属性情報を取得する現在位置取得手段と、表示手段と、前記第１の端末装置の現在位置を表示する地図画像を前記表示手段に表示させる表示制御手段と、制御手段と、を備え、
前記第１の端末装置の制御手段が、現在位置を含む現在位置表示要求を前記サーバに送信すると、前記サーバの前記端末位置取得手段が、前記第２の端末装置の現在位置と位置属性情報を前記表示対象位置データベースから取得し、前記サーバの制御手段が、取得した前記第２の端末装置の現在位置及び位置属性情報と、前記第１及び第２の端末装置の現在位置を含む領域の地図画像を前記地図データベースから取得して前記第１の端末装置に送信し、前記第１の端末装置の前記表示制御手段は、前記第１の端末装置の現在位置と、前記第２の端末装置の現在位置を、前記位置属性情報に応じて異なる態様で前記地図画像上に表示させることを特徴とする端末装置。
【請求項１１】
前記表示制御手段は、前記第１の端末装置の現在位置と、前記第２の端末装置の現在位置を、前記位置属性情報に応じて透過率を変更した又は色合いを異ならせたアイコンとして表示させることを特徴とする請求項１０に記載の端末装置。
【請求項１２】
前記表示制御手段は、前記第１の端末装置の現在位置と、前記第２の端末装置の現在位置を、前記位置属性情報に応じて形状の異なるアイコンとして表示させることを特徴とする請求項１０に記載の端末装置。
【請求項１３】
前記表示制御手段は、前記第１の端末装置の現在位置と、前記第２の端末装置の現在位置を、前記位置属性情報とともに表示させることを特徴とする請求項１０〜１２の何れか１項に記載の端末装置。
【請求項１４】
前記地図データベースは、前記位置属性情報に対応した地図画像を備えており、前記サーバの制御手段は、前記地図データベースから前記第１の端末装置の位置属性情報に応じた地図画像を取得して前記第１の端末装置に送信し、前記第１の端末装置の前記表示制御手段は、前記第１の端末装置の位置属性情報に応じた地図画像を前記表示手段に表示させ、前記第１の端末装置において前記表示手段に表示されている複数の前記第２の端末装置のいずれかに対応する地図画像の要求があった場合には、前記サーバの制御手段は、前記第２の端末装置の位置属性情報に対応する地図画像を前記地図データベースから取得して前記第１の端末装置に送信し、前記第１の端末装置の前記表示制御手段は、前記第２の端末装置の位置属性情報に応じた地図画像を前記表示手段に表示させることを特徴とする請求項１０〜１３の何れか１項に記載の端末装置。
【請求項１５】
第１の端末装置の現在位置及びその位置属性情報を取得する現在位置取得手段と、表示手段と、前記第１の端末装置の現在位置を表示する地図画像を前記表示手段に表示させる表示制御手段と、制御手段と、を備える前記第１の端末装置と、
地図データベースと、前記第１の端末装置と該第１の端末装置に関連付けられた少なくとも一つの第２の端末装置のそれぞれの現在位置及び位置属性情報を格納する表示対象位置データベースと、前記第１の端末装置に関連付けられた少なくとも一つの前記第２の端末装置の現在位置及び位置属性情報を前記表示対象位置データベースから取得する端末位置取得手段と、制御手段と、を備えるサーバと、を備えて構成される情報表示システムにおける情報表示方法であって、
（１）前記第１の端末装置の制御手段が、現在位置を含む現在位置表示要求を前記サーバに送信するステップと、
（２）前記サーバの前記端末位置取得手段が、前記第２の端末装置の現在位置と位置属性情報を前記表示対象位置データベースから取得するステップと、
（３）前記サーバの制御手段が、取得した前記第２の端末装置の現在位置及び位置属性情報と、前記第１及び第２の端末装置の現在位置を含む領域の地図画像を前記地図データベースから取得して前記第１の端末装置に送信するステップと、
（４）前記第１の端末装置の前記表示制御手段が、前記第１の端末装置の現在位置と、前記第２の端末装置の現在位置を、前記位置属性情報に応じて異なる態様で前記地図画像上に表示させるステップと、を備えることを特徴とする情報表示方法。
【請求項１６】
前記（４）のステップにおいて、前記表示制御手段は、前記第１の端末装置の現在位置と、前記第２の端末装置の現在位置を、前記位置属性情報に応じて透過率を変更した又は色合いを異ならせたアイコンとして表示させることを特徴とする請求項１５に記載の情報表示方法。
【請求項１７】
前記（４）のステップにおいて、前記表示制御手段は、前記第１の端末装置の現在位置と、前記第２の端末装置の現在位置を、前記位置属性情報に応じて形状の異なるアイコンとして表示させることを特徴とする請求項１５に記載の情報表示方法。
【請求項１８】
前記（４）のステップにおいて、前記表示制御手段は、前記第１の端末装置の現在位置と、前記第２の端末装置の現在位置を、前記位置属性情報とともに表示させることを特徴とする請求項１５〜１７の何れか１項に記載の情報表示方法。
【請求項１９】
前記地図データベースは、前記位置属性情報に対応した地図画像を備えており、
前記（３）のステップにおいて、前記サーバの制御手段は、前記地図データベースから前記第１の端末装置の位置属性情報に応じた地図画像を取得して前記第１の端末装置に送信し、
前記（４）のステップにおいて、前記第１の端末装置の前記表示制御手段は、前記第１の端末装置の位置属性情報に応じた地図画像を前記表示手段に表示させ、前記第１の端末装置において前記表示手段に表示されている複数の前記第２の端末装置のいずれかに対応する地図画像の要求があった場合には、
（５）前記サーバの制御手段が、前記第２の端末装置の位置属性情報に対応する地図画像を前記地図データベースから取得して前記第１の端末装置に送信するステップと、
（６）前記第１の端末装置の前記表示制御手段が、前記第２の端末装置の位置属性情報に応じた地図画像を前記表示手段に表示させるステップと、をさらに備えることを特徴とする請求項１５〜１８の何れか１項に記載の情報表示方法。
【請求項２０】
前記サーバは、前記第１の端末装置及び前記第２の端末装置が取得してリアルタイムに送信する現在位置及び位置属性情報を受信して前記表示対象位置データベースに記憶することを特徴とする請求項１５に記載の情報表示方法。
【手続補正２】
【補正対象書類名】明細書
【補正対象項目名】００１１
【補正方法】変更
【補正の内容】
【００１１】
上記課題を解決するために、本発明の請求項１にかかる情報表示システムは、
第１の端末装置の現在位置及びその位置属性情報を取得する現在位置取得手段と、表示手段と、前記第１の端末装置の現在位置を表示する地図画像を前記表示手段に表示させる表示制御手段と、制御手段と、を備える前記第１の端末装置と、
地図データベースと、前記第１の端末装置と該第１の端末装置に関連付けられた少なくとも一つの第２の端末装置のそれぞれの現在位置及び位置属性情報を格納する表示対象位置データベースと、前記第１の端末装置に関連付けられた少なくとも一つの前記第２の端末装置の現在位置及び位置属性情報を前記表示対象位置データベースから取得する端末位置取得手段と、制御手段と、を備えるサーバと、を備えて構成される情報表示システムであって、
前記第１の端末装置の制御手段が、現在位置を含む現在位置表示要求を前記サーバに送信すると、前記サーバの前記端末位置取得手段が、前記第２の端末装置の現在位置と位置属性情報を前記表示対象位置データベースから取得し、前記サーバの制御手段が、取得した前記第２の端末装置の現在位置及び位置属性情報と、前記第１及び第２の端末装置の現在位置を含む領域の地図画像を前記地図データベースから取得して前記第１の端末装置に送信し、前記第１の端末装置の前記表示制御手段は、前記第１の端末装置の現在位置と、前記第２の端末装置の現在位置を、前記位置属性情報に応じて異なる態様で前記地図画像上に表示させることを特徴とする。
【手続補正３】
【補正対象書類名】明細書
【補正対象項目名】００１２
【補正方法】変更
【補正の内容】
【００１２】
また、請求項２の情報表示システムの発明は、請求項１にかかり、前記表示制御手段は、前記第１の端末装置の現在位置と、前記第２の端末装置の現在位置を、前記位置属性情報に応じて透過率を変更した又は色合いを異ならせたアイコンとして表示させることを特徴とする。
【手続補正４】
【補正対象書類名】明細書
【補正対象項目名】００１３
【補正方法】変更
【補正の内容】
【００１３】
また、請求項３の情報表示システムの発明は、請求項１にかかり、前記表示制御手段は、前記第１の端末装置の現在位置と、前記第２の端末装置の現在位置を、前記位置属性情報に応じて形状の異なるアイコンとして表示させることを特徴とする。
【手続補正５】
【補正対象書類名】明細書
【補正対象項目名】００１４
【補正方法】変更
【補正の内容】
【００１４】
また、請求項４の情報表示システムの発明は、請求項１〜３の何れか１項にかかり、前記表示制御手段は、前記第１の端末装置の現在位置と、前記第２の端末装置の現在位置を、前記位置属性情報とともに表示させることを特徴とする。
【手続補正６】
【補正対象書類名】明細書
【補正対象項目名】００１５
【補正方法】変更
【補正の内容】
【００１５】
また、請求項５の情報表示システムの発明は、請求項１〜４の何れか１項にかかり、前記地図データベースは、前記位置属性情報に対応した地図画像を備えており、前記サーバの制御手段は、前記地図データベースから前記第１の端末装置の位置属性情報に応じた地図画像を取得して前記第１の端末装置に送信し、前記第１の端末装置の前記表示制御手段は、前記第１の端末装置の位置属性情報に応じた地図画像を前記表示手段に表示させ、前記第１の端末装置において前記表示手段に表示されている複数の前記第２の端末装置のいずれかに対応する地図画像の要求があった場合には、前記サーバの制御手段は、前記第２の端末装置の位置属性情報に対応する地図画像を前記地図データベースから取得して前記第１の端末装置に送信し、前記第１の端末装置の前記表示制御手段は、前記第２の端末装置の位置属性情報に応じた地図画像を前記表示手段に表示させることを特徴とする。
【手続補正７】
【補正対象書類名】明細書
【補正対象項目名】００１７
【補正方法】変更
【補正の内容】
【００１７】
上記課題を解決するために、本発明の請求項７にかかるサーバは、
第１の端末装置の現在位置及びその位置属性情報を取得する現在位置取得手段と、表示手段と、前記第１の端末装置の現在位置を表示する地図画像を前記表示手段に表示させる表示制御手段と、制御手段と、を備える前記第１の端末装置と、前記第１の端末装置に関連付けられた少なくとも一つの第２の端末装置と、サーバと、を備えて構成される情報表示システムを構成する前記サーバであって、
前記サーバは、地図データベースと、前記第１の端末装置と該第１の端末装置に関連付けられた少なくとも一つの前記第２の端末装置のそれぞれの現在位置及び位置属性情報を格納する表示対象位置データベースと、前記第２の端末装置の現在位置及び位置属性情報を前記表示対象位置データベースから取得する端末位置取得手段と、制御手段と、を備え、
前記第１の端末装置の制御手段が、現在位置を含む現在位置表示要求を前記サーバに送信すると、前記サーバの前記端末位置取得手段が、前記第２の端末装置の現在位置と位置属性情報を前記表示対象位置データベースから取得し、前記サーバの制御手段が、取得した前記第２の端末装置の現在位置及び位置属性情報と、前記第１及び第２の端末装置の現在位置を含む領域の地図画像を前記地図データベースから取得して前記第１の端末装置に送信し、前記第１の端末装置の前記表示制御手段は、前記第１の端末装置の現在位置と、前記第２の端末装置の現在位置を、前記位置属性情報に応じて異なる態様で前記地図画像上に表示させることを特徴とする。
【手続補正８】
【補正対象書類名】明細書
【補正対象項目名】００１８
【補正方法】変更
【補正の内容】
【００１８】
また、請求項８のサーバの発明は、請求項７にかかり、前記地図データベースは、前記位置属性情報に対応した地図画像を備えており、前記サーバの制御手段は、前記地図データベースから前記第１の端末装置の位置属性情報に応じた地図画像を取得して前記第１の端末装置に送信し、前記第１の端末装置の前記表示制御手段は、前記第１の端末装置の位置属性情報に応じた地図画像を前記表示手段に表示させ、前記第１の端末装置において前記表示手段に表示されている複数の前記第２の端末装置のいずれかに対応する地図画像の要求があった場合には、前記サーバの制御手段は、前記第２の端末装置の位置属性情報に対応する地図画像を前記地図データベースから取得して前記第１の端末装置に送信し、前記第１の端末装置の前記表示制御手段は、前記第２の端末装置の位置属性情報に応じた地図画像を前記表示手段に表示させることを特徴とする。
【手続補正９】
【補正対象書類名】明細書
【補正対象項目名】００２０
【補正方法】変更
【補正の内容】
【００２０】
上記課題を解決するために、本発明の請求項１０にかかる端末装置は、
第１の端末装置と、前記第１の端末装置に関連付けられた少なくとも一つの第２の端末装置と、地図データベースと、前記第１の端末装置と該第１の端末装置に関連付けられた少なくとも一つの前記第２の端末装置のそれぞれの現在位置及び位置属性情報を格納する表示対象位置データベースと、前記第１の端末装置に関連付けられた少なくとも一つの前記第２の端末装置の現在位置及び位置属性情報を前記表示対象位置データベースから取得する端末位置取得手段と制御手段とを備えるサーバと、を備えて構成される情報表示システムを構成する端末装置であって、
前記第１の端末装置は、現在位置及びその位置属性情報を取得する現在位置取得手段と、表示手段と、前記第１の端末装置の現在位置を表示する地図画像を前記表示手段に表示させる表示制御手段と、制御手段と、を備え、
前記第１の端末装置の制御手段が、現在位置を含む現在位置表示要求を前記サーバに送信すると、前記サーバの前記端末位置取得手段が、前記第２の端末装置の現在位置と位置属性情報を前記表示対象位置データベースから取得し、前記サーバの制御手段が、取得した前記第２の端末装置の現在位置及び位置属性情報と、前記第１及び第２の端末装置の現在位置を含む領域の地図画像を前記地図データベースから取得して前記第１の端末装置に送信し、前記第１の端末装置の前記表示制御手段は、前記第１の端末装置の現在位置と、前記第２の端末装置の現在位置を、前記位置属性情報に応じて異なる態様で前記地図画像上に表示させることを特徴とする。
【手続補正１０】
【補正対象書類名】明細書
【補正対象項目名】００２１
【補正方法】変更
【補正の内容】
【００２１】
また、請求項１１の端末装置の発明は、請求項１０にかかり、前記表示制御手段は、前記第１の端末装置の現在位置と、前記第２の端末装置の現在位置を、位前記置属性情報に応じて透過率を変更した又は色合いを異ならせたアイコンとして表示させることを特徴とする。
【手続補正１１】
【補正対象書類名】明細書
【補正対象項目名】００２２
【補正方法】変更
【補正の内容】
【００２２】
また、請求項１２の端末装置の発明は、請求項１０にかかり、前記表示制御手段は、前記第１の端末装置の現在位置と、前記第２の端末装置の現在位置を、前記位置属性情報に応じて形状の異なるアイコンとして表示させることを特徴とする。
【手続補正１２】
【補正対象書類名】明細書
【補正対象項目名】００２３
【補正方法】変更
【補正の内容】
【００２３】
また、請求項１３の端末装置の発明は、請求項１０〜１２の何れか１項にかかり、前記表示制御手段は、前記第１の端末装置の現在位置と、前記第２の端末装置の現在位置を、前記位置属性情報とともに表示させることを特徴とする。
【手続補正１３】
【補正対象書類名】明細書
【補正対象項目名】００２４
【補正方法】変更
【補正の内容】
【００２４】
また、請求項１４の端末装置の発明は、請求項１０〜１３の何れか１項にかかり、前記地図データベースは、前記位置属性情報に対応した地図画像を備えており、前記サーバの制御手段は、前記地図データベースから前記第１の端末装置の位置属性情報に応じた地図画像を取得して前記第１の端末装置に送信し、前記第１の端末装置の前記表示制御手段は、前記第１の端末装置の位置属性情報に応じた地図画像を前記表示手段に表示させ、前記第１の端末装置において前記表示手段に表示されている複数の前記第２の端末装置のいずれかに対応する地図画像の要求があった場合には、前記サーバの制御手段は、前記第２の端末装置の位置属性情報に対応する地図画像を前記地図データベースから取得して前記第１の端末装置に送信し、前記第１の端末装置の前記表示制御手段は、前記第２の端末装置の位置属性情報に応じた地図画像を前記表示手段に表示させることを特徴とする。
【手続補正１４】
【補正対象書類名】明細書
【補正対象項目名】００２５
【補正方法】変更
【補正の内容】
【００２５】
上記課題を解決するために、本発明の請求項１５にかかる情報表示方法は、
第１の端末装置の現在位置及びその位置属性情報を取得する現在位置取得手段と、表示手段と、前記第１の端末装置の現在位置を表示する地図画像を前記表示手段に表示させる表示制御手段と、制御手段と、を備える前記第１の端末装置と、
地図データベースと、前記第１の端末装置と該第１の端末装置に関連付けられた少なくとも一つの第２の端末装置のそれぞれの現在位置及び位置属性情報を格納する表示対象位置データベースと、前記第１の端末装置に関連付けられた少なくとも一つの前記第２の端末装置の現在位置及び位置属性情報を前記表示対象位置データベースから取得する端末位置取得手段と、制御手段と、を備えるサーバと、を備えて構成される情報表示システムにおける情報表示方法であって、
（１）前記第１の端末装置の制御手段が、現在位置を含む現在位置表示要求を前記サーバに送信するステップと、
（２）前記サーバの前記端末位置取得手段が、前記第２の端末装置の現在位置と位置属性情報を前記表示対象位置データベースから取得するステップと、
（３）前記サーバの制御手段が、取得した前記第２の端末装置の現在位置及び位置属性情報と、前記第１及び第２の端末装置の現在位置を含む領域の地図画像を前記地図データベースから取得して前記第１の端末装置に送信するステップと、
（４）前記第１の端末装置の前記表示制御手段が、前記第１の端末装置の現在位置と、前記第２の端末装置の現在位置を、前記位置属性情報に応じて異なる態様で前記地図画像上に表示させるステップと、を備えることを特徴とする。
【手続補正１５】
【補正対象書類名】明細書
【補正対象項目名】００２６
【補正方法】変更
【補正の内容】
【００２６】
また、請求項１６の情報表示方法の発明は、請求項１５にかかり、前記（４）のステップにおいて、前記表示制御手段は、前記第１の端末装置の現在位置と、前記第２の端末装置の現在位置を、前記位置属性情報に応じて透過率を変更した又は色合いを異ならせたアイコンとして表示させることを特徴とする。
【手続補正１６】
【補正対象書類名】明細書
【補正対象項目名】００２７
【補正方法】変更
【補正の内容】
【００２７】
また、請求項１７の情報表示方法の発明は、請求項１５にかかり、前記（４）のステップにおいて、前記表示制御手段は、前記第１の端末装置の現在位置と、前記第２の端末装置の現在位置を、前記位置属性情報に応じて形状の異なるアイコンとして表示させることを特徴とする。
【手続補正１７】
【補正対象書類名】明細書
【補正対象項目名】００２８
【補正方法】変更
【補正の内容】
【００２８】
また、請求項１８の情報表示方法の発明は、請求項１５〜１７の何れか１項にかかり、前記（４）のステップにおいて、前記表示制御手段は、前記第１の端末装置の現在位置と、前記第２の端末装置の現在位置を、前記位置属性情報とともに表示させることを特徴とする。
【手続補正１８】
【補正対象書類名】明細書
【補正対象項目名】００２９
【補正方法】変更
【補正の内容】
【００２９】
また、請求項１９の情報表示方法の発明は、請求項１５〜１８の何れか１項にかかり、前記地図データベースは、前記位置属性情報に対応した地図画像を備えており、
前記（３）のステップにおいて、前記サーバの制御手段は、前記地図データベースから前記第１の端末装置の位置属性情報に応じた地図画像を取得して前記第１の端末装置に送信し、
前記（４）のステップにおいて、前記第１の端末装置の前記表示制御手段は、前記第１の端末装置の位置属性情報に応じた地図画像を前記表示手段に表示させ、前記第１の端末装置において前記表示手段に表示されている複数の前記第２の端末装置のいずれかに対応する地図画像の要求があった場合には、
（５）前記サーバの制御手段が、前記第２の端末装置の位置属性情報に対応する地図画像を前記地図データベースから取得して前記第１の端末装置に送信するステップと、
（６）前記第１の端末装置の前記表示制御手段が、前記第２の端末装置の位置属性情報に応じた地図画像を前記表示手段に表示させるステップと、をさらに備えることを特徴とする。
【手続補正１９】
【補正対象書類名】明細書
【補正対象項目名】００３１
【補正方法】変更
【補正の内容】
【００３１】
上記の構成によれば、本発明は下記に示すような優れた効果を奏し得る。すなわち、請求項１に記載の情報表示システムの発明によれば、第１の端末装置から現在位置を含む現在位置表示要求をサーバに送信すると、サーバは、第１の端末装置に関連付けられて登録されている第２の端末装置の現在位置とその位置属性情報を取得して地図画像とともに第１の端末装置に送信し、第１の端末装置においては、第１の端末装置の現在位置と第２の端末装置の現在位置を位置属性情報に応じて異なる態様で表示する。これにより、例えば、第１の端末装置と第２の端末装置が平面視ではほぼ同一の地点に位置しているように表示されていても、異なる態様で表示されていれば、建物の異なる階層に位置していること等がわかり、実際の位置関係がより把握しやすい表示が行われるようになる。
【手続補正２０】
【補正対象書類名】明細書
【補正対象項目名】００３２
【補正方法】変更
【補正の内容】
【００３２】
また、表示対象データベース（端末装置データベース）を用いてそれぞれの端末装置がどの端末装置と関連付けられているかを把握するためのグループ登録管理を行うことができ、前記表示対象位置データベースにそれぞれの端末装置の現在位置と位置属性情報を記憶しておくことによって、第１の端末装置からの問合せがあった際に、それぞれの端末装置の現在位置と位置属性情報を簡単に取得することができるようになる。
【手続補正２１】
【補正対象書類名】明細書
【補正対象項目名】００３９
【補正方法】変更
【補正の内容】
【００３９】
また、請求項１０〜１４に記載の端末装置の発明によれば、請求項１〜５の発明の効果を奏する情報表示システムを構成する端末装置を提供することができる。
【手続補正２２】
【補正対象書類名】明細書
【補正対象項目名】００９９
【補正方法】変更
【補正の内容】
【００９９】
サーバ３０においては、表示対象検索手段３１１が表示対象データベース３１４を参照して、端末装置２０Ａに関連付けられた端末装置を検索し、端末装置２０Ｂ〜２０Ｆを検索結果として得る。さらに、表示対象位置取得手段３１２が表示対象位置データベース３１５を参照し、それぞれの端末装置２０Ｂ〜２０Ｆの現在位置及び位置属性情報を取得する。さらに、表示対象位置取得手段３１２は、端末装置２０Ｃの位置属性情報と他の端末装置２０Ａ、２０Ｂ、２０Ｄ〜２０Ｆの位置属性情報を比較し、位置属性情報が異なるものの場合に、表示対象位置データベース３１５からその地図画像リンク情報を取得する。